(57)【要約】【課題】チルト状態で飲料容器等から液体が流出しても、流出した液体による電装部品等の水濡れを防止して水濡れによる電装部品等の故障を防止する。【解決手段】インストルメントパネル６は、車幅方向中央部のセンターパネル１１と、センターパネル１１の下方の下パネル部材３７とを含み、車室内の前方で起立する。センターパネル１１は、開口１８から前下方へ傾斜して凹む水受け凹部１７を有する。下パネル部材３７は、車幅方向に延びる水受け溝２２を有する。ギアコンカバー８は、ドリンクホルダ２１を有し、インストルメントパネル６の下部から後方へ延びる。ギアコンカバー８の上カバーパネル２３の前方領域２９は、水受け凹部１７よりも下方で水受け溝２２を上方から覆う。チルト状態では、センターパネル１１の開口１８は、ドリンクホルダ２１に支持された所定の飲料容器５０の口部５１の略鉛直下方に配置される。【選択図】図５
2015209008.tif 000002
【特許請求の範囲】
【請求項１】
キャブの前端下部を中心として前記キャブの後端側が上昇したチルト状態と下降した非チルト状態とに設定可能な車両の車室の前下部構造であって、
前記非チルト状態で前記車室内の前方で起立し、下部に開口を有する前パネルと、
前記非チルト状態で前記前パネルの下部の後方近傍に配置され、所定の飲料容器を前記非チルト状態で支持可能であり、前記非チルト状態で支持した所定の飲料容器を前記チルト状態でも継続して支持するドリンクホルダと、
前記非チルト状態で前記前パネルの前記開口から前方へ凹む有底筒状の水受け凹部と、
前記非チルト状態で前記水受け凹部よりも下方で、且つ前記ドリンクホルダよりも前方で車幅方向に延びる樋状の水受け溝と、を備え、
前記前パネルの前記開口は、前記チルト状態で前記ドリンクホルダに支持された前記所定の飲料容器の口部の略鉛直下方に配置される
ことを特徴とする車室の前下部構造。
【請求項２】
請求項１に記載の車室の前下部構造であって、
前記前パネルと前記ドリンクホルダとの間に配置され、前記非チルト状態で前記水受け凹部よりも下方で前記水受け溝の上方を覆うカバーパネル部と、
前記開口から前記水受け溝の近傍まで連続する連続面と、を備え、
前記カバーパネル部の前端と前記連続面との間には、前記開口から前記水受け溝への液体の流下を許容する間隙が設けられている
ことを特徴とする車室の前下部構造。
【請求項３】
請求項１または請求項２に記載の車室の前下部構造であって、
前記水受け溝は、車幅方向の少なくとも一方側に向かって下方へ傾斜する
ことを特徴とする車室の前下部構造。
【発明の詳細な説明】
【技術分野】
【０００１】
本発明は、車室の前下部構造に関する。
【背景技術】
【０００２】
特許文献１には、車両室内の前方側のインストルメントパネルの中央下端から車両後方へ延びるセンターコンソールボックスが記載されている。センターコンソールボックスは、車両前方側のコンソールボックスフロントと車両後方側のコンソールボックスリアとに２分割されている。コンソールボックスフロントの前端部は、インストルメントパネルの左右中央部から後下方に延びる連結体の後端部に連結している。連結体は、インストルメントパネルの左右中央部から後下方に延びる左右１対の側壁を備える。連結体の左右の側壁の頂部間のインストルメントパネル側には、ヒーターコントロールパネルが配置されている。コンソールボックスフロントは、連結体の左右の側壁に接続する左右１対の側壁を前端部に有し、左右の側壁の間に前席用のカップホルダーが配置されている。センターコンソールボックスは、エアバッグ用のコントローラーなどの電装部品と、該電装部品を覆う前側コンソールブラケットとを内蔵している。
【０００３】
コンソールボックスリアの分割端部に連結するコンソールボックスフロントの分割端部には、幅方向に沿って排水溝が形成されている。また、コンソールボックスフロントの分割端部の下方に配置される前側コンソールブラケットの前端部には、樋が形成されている。
【先行技術文献】
【特許文献】
【０００４】
【特許文献１】特開２０１１−２１８９１３号公報
【発明の概要】
【発明が解決しようとする課題】
【０００５】
特許文献１に記載のセンターコンソールボックスを、キャブの前端下部を中心としてキャブの後端側を前上方へ上昇させたチルト状態に設定可能なキャブオーバー型車両に適用した場合には、チルト状態で前席用のカップホルダーに置かれた飲料容器から液体が流出すると、流出した液体が下方のインストルメントパネル側へ流下して、流下した液体によって連結体の左右の側壁の頂部間のヒーターコントロールパネルが濡れて故障するおそれがある。また、チルト状態でインストルメントパネル側へ流下した液体がコンソールボックスフロントの前端部と連結体の後端部との間からセンターコンソールボックス内へ流下して、流下した液体によってセンターコンソールボックス内の電装部品が濡れて故障するおそれがある。このように、特許文献１のセンターコンソールボックスでは、チルト状態で前席用のカップホルダーの飲料容器から流出する液体に対して、排水溝や樋を機能させることが難しく、飲料容器から流出した液体によって電装部品等が濡れて故障するおそれがある。
【０００６】
そこで、本発明は、チルト状態で飲料容器等から液体が流出しても、流出した液体による電装部品等の水濡れを防止して、水濡れによる電装部品等の故障を防止することが可能な車室の前下部構造の提供を目的とする。
【課題を解決するための手段】
【０００７】
上記課題を解決するため、本発明の車室の前下部構造は、キャブの前端下部を中心としてキャブの後端側が上昇したチルト状態と下降した非チルト状態とに設定可能な車両の車室の前下部構造であって、前パネルとドリンクホルダと水受け凹部と水受け溝とを備える。前パネルは、非チルト状態で車室内の前方で起立し、下部に開口を有する。ドリンクホルダは、非チルト状態で前パネルの下部の後方近傍に配置され、所定の飲料容器を非チルト状態で支持可能であり、非チルト状態で支持した所定の飲料容器をチルト状態でも継続して支持する。水受け凹部は、非チルト状態で前パネルの開口から前方へ凹む有底筒状である。水受け溝は、非チルト状態で水受け凹部よりも下方で、且つドリンクホルダよりも前方で車幅方向に延びる樋状である。前パネルの開口は、チルト状態でドリンクホルダに支持された前記所定の飲料容器の口部の略鉛直下方に配置される。
【０００８】
上記構成では、内部に飲料等の液体が入っており、且つ蓋等が開いた状態の所定の飲料容器をドリンクホルダに置いたままキャブを非チルト状態からチルト状態にすると、前記所定の飲料容器の液体は、前記所定の飲料容器の口部から流出する。キャブを非チルト状態からチルト状態にする際のキャブの傾動中（チルト状態への傾動中）に前記所定の飲料容器から流出する液体は、先ずドリンクホルダの前方近傍に流下し、キャブの傾動に応じて徐々に水受け凹部側へ流下する。
【０００９】
チルト状態ではドリンクホルダに支持された所定の飲料容器の口部の略鉛直下方に前パネルの開口が配置されるので、前記所定の飲料容器から流出する液体が前パネルの開口へ流下する。非チルト状態で前パネルの開口から前方へ凹む有底筒状の水受け凹部は、チルト状態で下方へ凹むので、前記所定の飲料容器の口部から流下した液体を受け止め可能であり、該液体の拡散を防止することができる。このため、前パネルにラジオ等の電装部品を搭載している場合には、該電装部品の水濡れを防止することができ、水濡れによる該電装部品の故障を防止することができる。
【００１０】
また、水受け溝は、非チルト状態で前パネルの後方近傍のドリンクホルダよりも前方で、且つ水受け凹部よりも下方で車幅方向に延びるので、チルト状態で水受け凹部よりも下方に位置し易い。このため、チルト状態で前記所定の飲料容器から流出する液体が多くて水受け凹部から液体が溢れた場合に、水受け凹部から溢れた液体を下方の水受け溝に流下させることができる。水受け溝が樋状なので、水受け溝に流下した液体は、車幅方向へ流れ易く、水受け溝の下方に配置される部品の水濡れを防止することができる。
【００１１】
また、上記車室の前下部構造は、前パネルとドリンクホルダとの間に配置され、非チルト状態で水受け凹部よりも下方で水受け溝の上方を覆うカバーパネル部と、開口から水受け溝の近傍まで連続する連続面とを備えてもよく、カバーパネル部の前端と連続面との間には、開口から水受け溝への液体の流下を許容する間隙が設けられていてもよい。
【００１２】
上記構成では、連続面が開口から水受け溝の近傍まで連続するので、チルト状態で水受け凹部に流下した液体が水受け凹部から溢れた場合には、溢れた液体を連続面に沿って水受け溝へ流下させることができる。
【００１３】
また、キャブをチルト状態から非チルト状態にする際のキャブの傾動中（非チルト状態への傾動中）には、水受け凹部に溜まった液体がキャブの傾動に応じて水受け凹部から流出する。水受け凹部から流出した液体が連続面に沿って流下した場合には、連続面が開口から水受け溝の近傍まで連続するので、連続面に沿って流下する液体を水受け溝へ流下させることができる。また、カバーパネル部の前端と連続面との間の間隙が開口から水受け溝への液体の流下を許容するので、連続面に沿って流下する液体が水受け溝へ流下し易い。
【００１４】
また、非チルト状態又はチルト状態の一方の状態から他方の状態にする際に、前記所定の飲料容器の口部から前パネルとドリンクホルダとの間に液体が流下しても、カバーパネル部が前パネルとドリンクホルダとの間に配置されるので、カバーパネル部に覆われる箇所への液体の流下を防止することができる。また、カバーパネル部の前端と連続面との間に間隙を設けているので、カバーパネル部の上面に流下した液体をカバーパネル部の前端から下方の水受け溝へ流下させることができる。
【００１５】
また、非チルト状態でカバーパネル部が水受け溝の上方を覆うので、車室内の前パネルの下部の外観上の見栄えが向上する。
【００１６】
また、上記水受け溝は、車幅方向の少なくとも一方側に向かって下方へ傾斜してもよい。
【００１７】
上記構成では、水受け溝が車幅方向の少なくとも一方側に向かって下方へ傾斜するので、水受け溝に流下した液体を車幅方向の少なくとも一方側へ速やかに流すことができる。
【発明の効果】
【００１８】
本発明によれば、チルト状態で飲料容器等から液体が流出しても、流出した液体による電装部品等の水濡れを防止して、水濡れによる電装部品等の故障を防止することができる。
【図面の簡単な説明】
【００１９】
【図１】本実施形態に係る車室の前下部構造が適用されるトラックのキャブの側面図であり、（ａ）は非チルト状態を、（ｂ）はチルト状態を示す。
【図２】図１のトラックの車室の前部を後上方から視た斜視図である。
【図３】図２の車室の前下部を後上方から視た斜視図である。
【図４】インストルメントパネルの要部の斜視図である。
【図５】図３のＶ−Ｖ矢視断面図であり、（ａ）は非チルト状態を、（ｂ）はチルト状態を示す。
【発明を実施するための形態】
【００２０】
以下、本発明の一実施形態を図面に基づいて説明する。なお、各図において、ＦＲは車両の前方を、ＵＰは上方を、ＩＮは車幅方向内側を、図５（ａ）及び図５（ｂ）中の矢印６０，６２，６３は液体の流れをそれぞれ示す。また、以下の説明において、左右方向は車両前方を向いた状態での左右方向を意味する。また、前後方向及び上下方向は、特に記載の無い限り図１（ａ）に示す非チルト状態での前後方向及び上下方向を意味する。
【００２１】
図１（ａ）に示すように、本実施形態に係る車室の前下部構造１０を適用するトラック（車両）１は、キャブ２が概ねエンジン３（図１（ｂ）参照）の上方に配置されるキャブオーバー型のトラック１であって、キャブ２の前端下部で車幅方向に延びる回転軸（図示省略）を中心としてキャブ２の後端側が上昇したチルト状態（図１（ｂ）参照）と、キャブ２の後端側が下降した非チルト状態（図１（ａ）参照）とに設定可能である。キャブ２の背面２ａの車幅方向両側には、非チルト状態のキャブ２の後端側を車体フレーム４側に完全にロックするキャブロック装置５がそれぞれ固定されている（図１（ａ）及び図１（ｂ）には左側のみ示す）。キャブロック装置５は、キャブロックレバー（図示省略）を有する。作業者は、該キャブロックレバーを操作することによって、キャブ２のロックを解除し、キャブ２の前端下部の回転軸を中心としてキャブ２の後端側を上昇させて、キャブ２を非チルト状態からチルト状態にする。
【００２２】
図２に示すように、本実施形態に係る車室の前下部構造１０は、キャブ２の車室内の前部のインストルメントパネル（前パネル）６と、ギアコントロールカバー８（以下、ギアコンカバーと称する）とを備える。キャブ２の車室内の前部の車幅方向右側には、ステアリング７が配置される。
【００２３】
インストルメントパネル６は、運転席側（ステアリング７側）のメーターパネル９と、後述する複数の電装部品１６が配置される車幅方向中央部のセンターパネル１１と、センターパネル１１の下方の下パネル部材３７と、助手席側のグローブボックス１２とを含み、車室内の前方で起立して車室の左右に亘って延びる。メーターパネル９には、スピードメーターやタコメーター等の各種計器類５２が配置される。グローブボックス１２は、内部にドライビンググローブ等を収容可能な小物入れである。ギアコンカバー８は、後述するレバーカバー部２７とドリンクホルダ２１とを有し、運転席と助手席との間でインストルメントパネル６の下部から後方へ延び、シフトレバー１９の下部のリンク機構（図示省略）や後述する各種電装部品１６に接続されるハーネス（図示省略）等を上方から覆う。
【００２４】
図２及び図３に示すように、インストルメントパネル６のセンターパネル１１は、カーナビ等の表示モニタ１３、ラジオ１４、及びエアコンの操作パネル１５等の複数の電装部品１６と、上部のエアコンの吹き出し口２８と、下部の水受け凹部１７とを有し、運転席と助手席との間で起立した状態で運転席側から助手席側に向かって斜め後方へ延びる。図５（ａ）に示すように、水受け凹部１７は、センターパネル１１の下部の略矩形状の開口１８から僅かに前下方へ傾斜して凹む有底筒状体である。開口１８の下端縁よりも下方のセンターパネル１１は、先ず開口１８の下端縁から略鉛直下方へ延び、それから曲折して斜め前下方へ延びる。なお、開口１８の形状は、略矩形状に限定されるものではない。また、本実施形態では、水受け凹部１７が開口１８から僅かに前下方へ傾斜したが、これに限定されるのもではなく、例えば、開口１８から前方へ略水平に延びてもよい。また、開口１８の下端縁よりも下方のセンターパネル１１は、曲折することなく略鉛直下方へ延びてもよい。
【００２５】
図４及び図５（ａ）に示すように、インストルメントパネル６の下パネル部材３７は、縦板部３９と固定板部４１と樋状の水受け溝２２と後板部３８とが一体形成され、センターパネル１１の下端に配置されて車幅方向に延びる。下パネル部材３７の下方には、各種電装部品１６に接続されるハーネス（図示省略）等が配索される。縦板部３９は、センターパネル１１の下端縁から連続して略鉛直下方へ延びる。固定板部４１は、縦板部３９の上端縁から連続して前方へ延びて車体側（図示省略）に固定される。水受け溝２２は、縦板部３９の下端縁から連続して後方へ曲折する断面Ｕ字状に形成され、車幅方向に延びて運転席側に向かって下方へ僅かに傾斜する。後板部３８は、水受け溝２２の後端縁から連続して後方へ延びる。なお、水受け溝２２を助手席側に向かって下方へ傾斜させたり、水受け溝２２の車幅方向中央部を頂部として車幅方向両側に向かって下方へ傾斜させたりしてもよい。或いは、水受け溝２２を傾斜させなくてもよい。
【００２６】
センターパネル１１の後面のうちの開口１８の下端縁よりも下方の開口下後面４２と、下パネル部材３７の縦板部３９の後面４３とが連続面４０を形成する。すなわち、連続面４０は、センターパネル１１の開口１８の下端縁から下方へ延び、それから曲折して斜め前下方へ直線状に延び、さらに曲折して略鉛直下方へ水受け溝２２まで直線状に延びる。なお、連続面が開口から水受け溝の近傍まで連続するとは、後述するように、チルト状態で連続面４０に沿って流下する液体を少なくとも水受け溝２２へ流入させることが可能な程度に連続面４０が水受け溝２２の近傍まで連続することであり、上記のように連続面４０が水受け溝２２まで連続する場合を含む。
【００２７】
図３に示すように、ギアコンカバー８は、上面視略台形状の上カバーパネル２３と、上カバーパネル２３の車幅方向両端縁から連続して下方へ延びる左右１対のサイドカバーパネル２４と、上カバーパネル２３の後端縁から連続して下方へ延びて車幅方向両端縁が左右のサイドカバーパネル２４のそれぞれの後端縁に連続する後カバーパネル２５とが一体形成される。上カバーパネル２３の後方領域２６には、運転席側のレバーカバー部２７と、助手席側のドリンクホルダ２１とが形成され、上カバーパネル２３の前方領域（カバーパネル部）２９には、下方へ凹んだ上面視略台形状の凹部３０が形成される。凹部３０は、上方及び前方へ開口し、凹部３０の内部に液体が流入した際に、前方への液体の流出を許容する。
【００２８】
レバーカバー部２７は、上カバーパネル２３の上面４５よりも上方に配置される略矩形状の上面部３１と、上面部３１の外周縁から連続して下方へ延びて上カバーパネル２３の上面４５に連続する４つの面部３２（前面部、後面部、及び左右の側面部）とを有し、レバーカバー部２７の上面部３１には、シフトレバー１９の挿通を許容するレバー開口２０が形成される。
【００２９】
図３及び図５（ａ）に示すように、ドリンクホルダ２１は、上カバーパネル２３の上面４５よりも上方に配置されてペットボトルや缶等の飲料容器が２本挿通可能なホルダ開口３３と、ホルダ開口３３から上カバーパネル２３の上面４５よりも下方まで延びる内周面３４と、内周面３４の下端から連続して内周面３４と共に有底孔４６を区画する底面３５と、ホルダ開口３３から上カバーパネル２３の上面４５に連続する外周面３６とを有する。ドリンクホルダ２１の底面３５には、底面３５の前後方向略中央部で車幅方向に延びる凸部４７が形成される。凸部４７によって有底孔４６が前領域と後領域とに仕切られ、ドリンクホルダ２１が有底孔４６の前領域と後領域とで２本の飲料容器を支持可能となっている。ドリンクホルダ２１の有底孔４６の深さは、非チルト状態で支持した前記飲料容器をチルト状態でも継続して支持可能な深さに設定される。
【００３０】
図５（ａ）に示すように、上カバーパネル２３の前方領域２９の前端縁（カバーパネル部の前端）４４と、下パネル部材３７の縦板部３９の後面４３との間に間隙を設けた状態で、前方領域２９の前端縁４４が縦板部３９の後面４３の後方に配置され、ギアコンカバー８が車体側に固定される。上カバーパネル２３の前方領域２９は、水受け凹部１７よりも下方で水受け溝２２を上方から覆う。上カバーパネル２３の前方領域２９の下面と、下パネル部材３７の後板部３８の上面とは、上下方向に相対向する。下パネル部材３７の後板部３８の後端縁部４８は、上方へ曲折して前方領域２９の下面の近傍まで延びる。上カバーパネル２３の前方領域２９の下面側には、下パネル部材３７の後板部３８の後端縁部４８よりも僅かに前方で車幅方向に延びるリブ４９が形成され、リブ４９の下端が下パネル部材３７の後板部３８の上面に近接または接触している。センターパネル１１の開口１８の略鉛直下方には、上カバーパネル２３の前方領域２９の凹部３０が配置される。なお、上カバーパネル２３の前端縁４４と下パネル部材３７の縦板部３９との間の間隙は、下方への液体の流下を許容する幅に設定される。
【００３１】
図５（ｂ）に示すように、チルト状態では、センターパネル１１の開口１８は、ドリンクホルダ２１に支持された所定の飲料容器５０（本実施形態では、高さ２０ｃｍ程度のペットボトル）の口部５１の略鉛直下方に配置される。すなわち、開口１８は、センターパネル１１の下部のうち、チルト状態で上記所定の飲料容器５０の口部５１の略鉛直下方に配置される位置に形成される。なお、センターパネル１１の下部近傍に配置されるドリンクホルダ２１とセンターパネル１１との距離は、後述するように、チルト状態で上記所定の飲料容器５０の口部５１から流下する液体が周囲に飛散することなく略鉛直下方のセンターパネル１１の開口１８に良好に流下するように、実験やシミュレーションや計算などによって求められた距離に設定される。
【００３２】
次に、キャブ２を非チルト状態（図１（ａ）参照）からチルト状態（図１（ｂ）参照）へ傾動させる場合と、その後、チルト状態から非チルト状態へ傾動させる場合とに分けて、上記所定の飲料容器５０から流出する液体の流れについて、図５（ａ）及び図５（ｂ）に基づいて説明する。
【００３３】
ドリンクホルダ２１には、蓋が開いた状態の上記所定の飲料容器５０が置かれている。上記所定の飲料容器５０の内部には、飲料等の液体が入っている。
【００３４】
上記所定の飲料容器５０をドリンクホルダ２１に置いたまま、キャブ２を非チルト状態からチルト状態へ傾動させると、ドリンクホルダ２１に支持された上記所定の飲料容器５０がキャブ２の傾動に応じて、徐々に前方へ傾く。上記所定の飲料容器５０が前方へ傾いて、内部の液体が上記所定の飲料容器５０の口部５１に到達すると、内部の液体が口部５１から流出する。
【００３５】
キャブ２がチルト状態になる前に口部５１から流出した液体は、上カバーパネル２３の前方領域２９の上面２３に流下し、前方へ傾斜した上カバーパネル２３の上面２３に沿って前方の凹部３０へ流れ、上カバーパネル２３の前端縁４４と下パネル部材３７の縦板部３９の後面４３との間の間隙へ流入する。キャブ２がさらに傾動すると、口部５１から流出した液体は、センターパネル１１の開口１８よりも下方の連続面４０（開口下後面４２及び下パネル部材３７の縦板部３９の後面４３）に流下し、連続面４０に沿って下方へ流れ、上カバーパネル２３の前端縁４４と下パネル部材３７の縦板部３９の後面４３（連続面４０）との間の間隙へ流入する。該間隙へ流入した液体は、連続面４０に沿って下方へ流れて下パネル部材３７の水受け溝２２へ流入し、水受け溝２２の傾斜に沿って運転席側へ流れて運転席側の床（図示省略）へ排出される。
【００３６】
図５（ｂ）に示すように、キャブ２がチルト状態で上記所定の飲料容器５０の口部５１から流出する液体６０は、口部５１の略鉛直下方のセンターパネル１１の開口１８へ流下して有底筒状の水受け凹部１７に流入する。上記所定の飲料容器５０から流出する液体が多いために水受け凹部１７の内部の液面６１が上昇し、水受け凹部１７から液体が溢れた場合には、溢れた液体６２は、開口１８よりも下方の連続面４０に沿って下方へ流れ、連続面４０と上カバーパネル２３の前端縁４４との間の間隙へ流入する。該間隙へ流入した液体は、上記と同様に水受け溝２２へ流入して運転席側の床へ排出される。
【００３７】
水受け凹部１７に液体が溜まった状態で、キャブ２をチルト状態から非チルト状態へ傾動させると、水受け凹部１７に溜まった液体がキャブ２の傾動に応じて車室側へ流出する。図５（ａ）に示すように、水受け凹部１７から車室側へ流出する液体６３が連続面４０に沿って下方へ流れた場合には、液体は、連続面４０に沿って連続面４０と上カバーパネル２３の前端縁４４との間の間隙へ流入し、上記と同様に水受け溝２２から運転席側の床へ排出される。また、水受け凹部１７から車室側へ流出する液体６３が上カバーパネル２３の凹部３０に流下した場合には、液体は、上カバーパネル２３の凹部３０から上カバーパネル２３の前端縁４４側へ流れ、上カバーパネル２３の前端縁４４と下パネル部材３７の縦板部３９の後面４３との間の間隙へ流入し、上記と同様に水受け溝２２から運転席側の床へ排出される。
【００３８】
上記のように構成された車室の前下部構造１０では、水受け凹部１７よりも下方で、且つドリンクホルダ２１よりも前方に水受け溝２２が配置されるので、非チルト状態からチルト状態へのキャブの傾動中（チルト状態への傾動中）の水受け溝２２は、ドリンクホルダ２１と水受け凹部１７との間で、且つドリンクホルダ２１及び水受け凹部１７よりも下方に配置される。このため、チルト状態への傾動中に上記所定の飲料容器５０から流出した液体を上カバーパネル２３の上面２３や連続面４０によって水受け溝２２へ流下させることができる。液体が水受け溝２２へ流下すると、水受け溝２２の傾斜に沿って運転席側へ流れて運転席側の床へ排出されるので、下パネル部材３７の下方に配索されるハーネス（図示省略）等の水濡れを防止することができ、ハーネスが接続する電装部品１６等（センターパネル１１の電装部品１６以外の電装部品を含む）の水濡れによる故障を防止することができる。
【００３９】
また、上カバーパネル２３の前方領域２９がセンターパネル１１とドリンクホルダ２１との間に配置されるので、非チルト状態又はチルト状態の一方の状態から他方の状態にする際に、上記所定の飲料容器５０から液体がセンターパネル１１とドリンクホルダ２１との間に流下しても、上カバーパネル２３の前方領域２９に覆われる箇所への液体の流下を防止することができ、上カバーパネル２３の下方のハーネス等の水濡れを防止することができる。
【００４０】
また、チルト状態では、上記所定の飲料容器５０の口部５１から流出する液体６０が略鉛直下方のセンターパネル１１の開口１８へ流下して有底筒状の水受け凹部１７に流入するので、該液体の拡散を防止することができる。このため、センターパネル１１のラジオ１４等の電装部品１６の水濡れを防止することができ、水濡れによる電装部品１６の故障を防止することができる。
【００４１】
また、連続面４０がセンターパネル１１の開口１８の下端縁から水受け溝２２まで延びるので、チルト状態で水受け凹部１７から溢れて連続面４０に沿って流下する液体６２を確実に水受け溝２２へ流すことができる。
【００４２】
また、連続面４０と上カバーパネル２３の前端縁４４との間の間隙が水受け凹部１７から水受け溝２２への液体の流下を許容するので、連続面４０に沿って流下する液体が水受け溝２２へ流下し易い。
【００４３】
また、チルト状態から非チルト状態にする際に、キャブ２の傾動に応じて水受け凹部１７から流出する液体６３が連続面４０、又は上カバーパネル２３の上面２３に沿って上カバーパネル２３の前端縁４４と下パネル部材３７の縦板部３９の後面４３との間の間隙へ流入し、水受け溝２２から運転席側の床へ液体が排出されるので、上カバーパネル２３の下方のハーネス（図示省略）等の水濡れを防止することができ、水濡れによる電装部品１６等の故障を防止することができる。
【００４４】
また、水受け溝２２が運転席側に向かって下方へ傾斜するので、水受け溝２２に流下した液体を運転席側へ速やかに流すことができ、該液体を運転席側の床へ排出することができる。
【００４５】
また、チルト状態でセンターパネル１１の開口１８は、比較的高さが高い上記所定の飲料容器５０（高さ２０ｃｍ程度のペットボトル）の口部５１の略鉛直下方に配置される。このため、比較的高さが低い（上記所定の飲料容器５０よりも高さが低い）飲料容器をドリンクホルダ２１に置いたまま、チルト状態にした場合には、該飲料容器から流出する液体は、チルト状態でセンターパネル１１の開口１８よりも後方の連続面４０や上カバーパネル２３の上面２３に流下する。このように、比較的高さが低い飲料容器をドリンクホルダ２１に置いたまま、チルト状態にした場合であっても、上カバーパネル２３の上面２３や連続面４０によって、ハーネスや電装部品１６等の水濡れを防止することができる。また、比較的高さが低い飲料容器から流出する液体を上カバーパネル２３の上面２３や連続面４０によって水受け溝２２へ流下させることができ、下パネル部材３７の下方に配索されるハーネス（図示省略）等の水濡れを防止することができる。
【００４６】
従って、本実施形態によれば、チルト状態で上記所定の飲料容器５０から液体が流出しても、流出した液体による電装部品１６等の水濡れを防止して、水濡れによる電装部品１６等の故障を防止することができる。
【００４７】
また、非チルト状態で上カバーパネル２３の前方領域２９が水受け凹部１７よりも下方で水受け溝２２の上方を覆うので、車室内のセンターパネル１１の下部の外観上の見栄えが向上する。
【００４８】
なお、本実施形態では、ドリンクホルダ２１をギアコンカバー８の上カバーパネル２３に形成したが、これに限定されるものではなく、例えば、ギアコンカバー８の上カバーパネル２３等に固定される別体のドリンクホルダであってもよい。
【００４９】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００５０】
例えば、上記実施形態では、車室内の前方で起立する前パネルとして、車室の左右に亘って延びるインストルメントパネル６を適用したが、これに限定されるものではなく、例えば、車室内の前方の車幅方向中央部で起立する前パネルなどであってもよい。
【００５１】
また、上記実施形態では、前パネルとしてのインストルメントパネル６（下パネル部材３７）に水受け溝２２を設けたが、前パネルとは別体の水受け溝を備えてもよい。
【００５２】
また、上記実施形態では、カバーパネル部として、ギアコンカバー８の上カバーパネル２３の前方領域２９が水受け凹部１７よりも下方で水受け溝２２を上方から覆ったが、これに限定されるものではなく、例えば、ギアコンカバー８を備えることなく、水受け凹部１７よりも下方で水受け溝２２を上方から覆うパネル部材（カバーパネル部）を備えてもよい。
【００５３】
また、上記実施形態では、センターパネル１１の後面のうちの開口１８の下端縁よりも下方の開口下後面４２と、下パネル部材３７の縦板部３９の後面４３とによって連続面４０が形成されたが、これに限定されるものではない。例えば、下パネル部材３７を有することなくセンターパネル１１が下方の水受け溝２２の近傍まで延びる場合には、センターパネル１１の開口下後面４２のみが開口１８から水受け溝２２の近傍まで延びる連続面として機能してもよい。
【符号の説明】
【００５４】
１：トラック（車両）
２：キャブ
６：インストルメントパネル（前パネル）
８：ギアコントロールカバー
１０：車室の前下部構造
１１：センターパネル
１６：電装部品
１７：水受け凹部
１８：開口（前パネルの開口）
２１：ドリンクホルダ
２２：水受け溝
２３：上カバーパネル
２９：上カバーパネルの前方領域（カバーパネル部）
３７：下パネル部材
３９：下パネル部材の縦板部
４０：連続面
４２：開口下後面（連続面）
４３：下パネル部材の縦板部の後面（連続面）
４４：上カバーパネルの前端縁（カバーパネル部の前端）
５０：所定の飲料容器
５１：所定の飲料容器の口部
【図１】
2015209008.tif 000003
【図２】
2015209008.tif 000004
【図３】
2015209008.tif 000005
【図４】
2015209008.tif 000006
【図５】
2015209008.tif 000007